(57)【要約】【課題】本発明は、ボディマウント部が固定される組立体が合成樹脂材料により構成される場合においても、該組立体と撮像素子を保持する撮像ユニットとを、作業を繰り返すことなく所定の位置に固定することが可能な構成を有するレンズ交換式カメラを提供する。【解決手段】本発明は、レンズ交換式カメラにおいて、撮像レンズを所定の軸上に位置決めするための平面であるマウント面を有し、レンズを着脱可能に保持するボディマウント部と、該ボディマウント部が固定され、前記マウント面と平行かつ前記マウント面とは反対方向に面する第１の平面を有する合成樹脂材料からなる第１の組立体と、撮像素子を保持し、前記撮像素子の受光面と平行かつ前記第１の平面に対向する第２の平面を有する第２の組立体と、前記第１の平面と前記第２の平面との間に配置される金属材料からなる中間部材と、を具備する構成とした。【選択図】図２
2010008690.tif 000002
【特許請求の範囲】
【請求項１】
撮像レンズを着脱自在に交換可能なレンズ交換式カメラであって、
前記撮像レンズを所定の軸上に位置決めするための平面であるマウント面を有し、前記撮像レンズを着脱可能に保持するボディマウント部と、
該ボディマウント部が固定され、前記ボディマウント面と平行かつ前記ボディマウント面とは反対方向に面する第１の平面を有する合成樹脂材料からなる第１の組立体と、
撮像素子を保持し、前記撮像素子の受光面と平行かつ前記第１の平面に対向する第２の平面を有する第２の組立体と、
前記第１の平面と前記第２の平面との間に配置され、前記第１の組立体に対する前記第２の組立体の位置を固定する金属材料からなる中間部材と、
を具備することを特徴とするレンズ交換式カメラ。
【請求項２】
前記中間部材は、前記第１の平面上に固定され、
前記第２の組立体は、前記第２の平面上において前記中間部材に固定されていることを特徴とする請求項１に記載のレンズ交換式カメラ。
【請求項３】
前記第１の平面と前記第２の平面は、共に同一の数の複数の平面により構成され、
前記第１の平面を構成する複数の平面と前記第２の平面を構成する複数の平面との間には、それぞれ前記ボディマウント面と前記受光面とを平行とし、かつ前記ボディマウント面から前記受光面までの距離を所定の値とするためのスペーサが介装されることを特徴とする請求項２に記載のレンズ交換式カメラ。
【発明の詳細な説明】
【技術分野】
【０００１】
本発明は、撮像レンズを着脱自在に交換可能なレンズ交換式カメラに関する。
【背景技術】
【０００２】
一般にレンズ交換式のデジタル一眼レフカメラと称されるレンズ交換式カメラは、特開２００６−８１００８号公報に開示されているように、撮像レンズを着脱可能とするボディマウント部を有し、該ボディマウント部の後方に、撮像素子を具備する撮像ユニットが配設されてなる。撮像ユニットは、ボディマウント部が固定された、いわゆる前板ユニット、ミラーボックス等と称される組立体の後方に固定される。
【０００３】
ボディマウント部と撮像ユニットとの間には、クイックリターンミラーやシャッタユニットが配設されることから、撮像ユニットは、組立体からクイックリターンミラーやシャッタユニットを避けるように後方に延出する複数の腕部の後端に、ねじにより固定される。
【０００４】
レンズ交換式カメラにおいては、ボディマウント部に対する撮像素子の受光面の位置関係を所定の範囲内としなければならない。このボディマウント部に対する撮像素子の受光面の位置の調整は、撮像ユニットと該撮像ユニットが固定される複数の腕部との間に挿入される、スペーサの厚さ又は数を変更することにより行われる。
【０００５】
撮像ユニットと腕部との間に挿入されるスペーサの厚さは、組立作業時に調整のために試行錯誤を行うことを避けるために、ボディマウント部に対する腕部の位置と、撮像素子の受光面に対する撮像ユニットの腕部と接する部位の位置と、を予め測定し該測定値に基づいて算出される。
【０００６】
これにより、レンズ交換式カメラの組立作業時においては、予め算出された厚さに対応するスペーサを腕部と撮像ユニットとの間に挿入するだけで、ボディマウント部に対する撮像素子の受光面の位置が所定の範囲内となるようにボディマウント部に対して撮像ユニットを固定することができる。
【特許文献１】特開２００６−８１００８号公報
【発明の開示】
【発明が解決しようとする課題】
【０００７】
ところで、レンズ交換式カメラのボディマウント部が固定される組立体は、部品点数の削減や軽量化を実現するために、合成樹脂材料により構成されることがある。このようにボディマウント部が固定される組立体が合成樹脂材料により構成された場合、ねじにより腕部に撮像ユニットを固定する際に、腕部にねじの締結力による歪みが生じてしまうことがある。
【０００８】
腕部に歪みが生じてしまうと、ボディマウント部に対する腕部の位置が、予め測定した値から変化してしまい、その結果、組み付けられた状態でのボディマウント部に対する撮像素子の受光面の位置が所定の範囲から逸脱してしまうことがある。
【０００９】
ボディマウント部に対する撮像素子の受光面の位置が所定の範囲から逸脱してしまった場合には、撮像ユニットを組立体から取り外し、再度組み立て作業を行わなければならない。
【００１０】
本発明は、上記問題点に鑑みてなされたものであり、ボディマウント部が固定される組立体が合成樹脂材料により構成される場合においても、該組立体と撮像素子を保持する撮像ユニットとを、作業を繰り返すことなく所定の位置に固定することが可能な構成を有するレンズ交換式カメラを提供することを目的とする。
【課題を解決するための手段】
【００１１】
本発明のレンズ交換式カメラは、撮像レンズを着脱自在に交換可能なレンズ交換式カメラであって、前記撮像レンズを所定の軸上に位置決めするための平面であるマウント面を有し、前記撮像レンズを着脱可能に保持するボディマウント部と、該ボディマウント部が固定され、前記ボディマウント面と平行かつ前記ボディマウント面とは反対方向に面する第１の平面を有する合成樹脂材料からなる第１の組立体と、撮像素子を保持し、前記撮像素子の受光面と平行かつ前記第１の平面に対向する第２の平面を有する第２の組立体と、前記第１の平面と前記第２の平面との間に配置され、前記第１の組立体に対する前記第２の組立体の位置を固定する金属材料からなる中間部材と、を具備することを特徴とする。
【発明を実施するための最良の形態】
【００１２】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１３】
以下、本発明の実施形態について図１から図３を参照して説明する。本実施形態は、一般にレンズ交換式のデジタル一眼レフカメラと称されるカメラに本発明を適用したものである。
【００１４】
図１は、デジタルカメラの主要な構成を断面により示す図である。図２は、ミラーボックス部に撮像ユニットを固定する構成を説明するための分解図である。図３は、撮像ユニットの構成を説明するための斜視図である。
【００１５】
本実施形態のカメラ１は、図１に示すように、カメラ本体２の前面に、交換レンズである撮像レンズ３のレンズマウント面と密着するリング状の平面余裕するボディマウント部９を具備し、該ボディマウント部９を介して撮像レンズ３が着脱自在に固定される構成を有する。
【００１６】
なお、撮像レンズ３におけるレンズとの表現は、被写体像を結像するための光学部材を総称するものとして便宜的に用いているものである。すなわち、屈折レンズにより構成されたもののみではなく、回折レンズ、プリズム又は反射鏡等を用いて構成された光学部材もまた撮像レンズ３の範疇に含まれるものとする。
【００１７】
以下の説明において、カメラ１を操作者が正立状態として構えた状態における左右方向をＸ方向とし、Ｘ方向と直交する上下方向をＹ方向とし、Ｘ、Ｙ方向に直交する前後方向をＺ方向とする（図１参照）。すなわちＺ方向は、撮像レンズ３の光軸Ｏと平行な方向（カメラ本体２の厚み方向）である。またＺ方向においてカメラ本体２の被写体側を前方とし、撮影者側を後方とする。また、Ｘ方向の左右方向はカメラ本体１を背面側から見た方向で示す。すなわち、図１の紙面に正対して手前側が左側となる。
【００１８】
カメラ本体２は、ボディマウント部９と、第１の組立体であるミラーボックス部１００と、第２の組立体である撮像ユニット２００と、シャッタユニット５と、ファインダユニット６と、測距ユニット７と、画像表示部８とを具備して構成されている。
【００１９】
ミラーボックス部１００は、カメラ本体２の内部において、撮像レンズ３の光軸Ｏ上に配設された略箱状の部材であり、前方、後方、上方及び下方に開口部を有する。本実施形態のミラーボックス部１００は、例えばポリカーボネート等の合成樹脂材料からなる。
【００２０】
光軸Ｏ上において、ミラーボックス部１００の前方には、ボディマウント部９が配設されている。また、ミラーボックス部１００の後方には、シャッタユニット５、及び撮像ユニット２００が配設されている。また、ミラーボックス部１００の上方にはファインダユニット６が配設されている。また、ミラーボックス部１００の下方には、測距ユニット７が配設されている。
【００２１】
ボディマウント部９は、中央に開口部を有した円環形状を有し、光軸Ｏと直交するリング状の平面を有する板状の部材であり、該開口部周囲に撮影レンズ３がバヨネット機構又はねじ機構等を介して着脱自在に固定される。ボディマウント部９は、ミラーボックス部１００に図示しないねじにより固定されている。
【００２２】
本実施形態においては、ボディマウント部９の前面に、撮像レンズ３の後方側に形成された座面（レンズマウント面）が突き当てられることによって、後述する撮像素子２０１の受光面２０１ａに対する撮像レンズ３のＺ方向の位置が決定される。以下において、この撮像レンズ３の位置決めを行うためのボディマウント部９の前面をボディマウント面９ａと称するものとする。
【００２３】
ミラーボックス部１００内には、反射面を有するクイックリターンミラー１０１及びサブミラー１０２が撮像レンズ３の光軸Ｏ上に進退可能に配設されている。クイックリターンミラー１０１及びサブミラー１０２が撮像レンズ３の光軸Ｏ上から退避した状態では、撮像レンズ３から出射された光束は、ミラーボックス部１００の後方に配設されたシャッタユニット５及び撮像ユニット２００に入射される。
【００２４】
一方、クイックリターンミラー１０１及びサブミラー１０２が撮像レンズ３の光軸Ｏ上に進出した状態では、撮像レンズ３から出射された光束はクイックリターンミラー１０１によって上方へ向けて反射されファインダユニット６に入射される。また、クイックリターンミラー１０１の反射面の少なくとも一部は所定の割合で光を透過する半透過部として構成されており、該クイックリターンミラー１０１の半透過部を透過した光束は、サブミラー１０２によって下方へ向けて反射され測距ユニット７に入射される。
【００２５】
シャッタユニット５は、撮像レンズ３の光軸Ｏ上に配設されたいわゆるフォーカルプレーンシャッタ装置であり、詳しくは図示しないが、光軸Ｏ上に進退可能に配設された複数のシャッタ羽根を所定のタイミングで移動させることによって、撮像素子２０１の露光時間を制御する装置である。該シャッタユニット５は、図示しないねじによりミラーボックス部１００に固定されている。
【００２６】
シャッタユニット５の後方に配設された撮像ユニット２００は、詳しくは後述するが、受光面に入射される光に応じた電気信号を出力する撮像素子２０１と、該撮像素子２０１に付随するアナログ回路やＡ／Ｄコンバータ等の駆動回路部とを備えてなり、撮像レンズ３により受光面上に結像された被写体像を画像信号に変換して出力する。撮像素子２０１は、例えば一般にＣＣＤ（電荷結合素子）やＣＭＯＳ（相補型金属酸化膜半導体）センサと称される形式、あるいはその他の各種の形式の撮像素子が適用され得る。
【００２７】
撮像ユニット２００は、ミラーボックス部１００から後方に延出する複数の腕部１１０に、中間部材１５０を介して固定されている。ミラーボックス部１００に撮像ユニット２００を固定する構成の詳細については後述する。
【００２８】
ファインダユニット６は、クリックリターンミラー１０１により折り曲げられた光軸Ｏ２上において、撮像レンズ３に対して撮像素子２０１の受光面２０１ａと光学的に等価な位置に配設されたフォーカシングスクリーン６１を具備してなる。
【００２９】
また、ファインダユニット６には、撮像レンズ３によりフォーカシングスクリーン６１に結像された被写体像を左右反転させるペンタプリズム６２と、このペンタプリズム６２から出射された光学像を拡大して操作者の眼に導く接眼光学系６３と、被写体の輝度を測定する測光ユニット６４とが配設されている。
【００３０】
測距ユニット７は、測距センサを具備してなり、いわゆるＴＴＬ位相差オートフォーカスを行うための測距を行う装置である。
【００３１】
また、カメラ本体２の背面部には、画像を表示し出力する画像表示部８が配設されている。画像表示部８は、液晶表示装置、有機エレクトロルミネッセンス表示装置又は電気泳動表示装置等を具備して構成されている。
【００３２】
画像表示部８は、カメラ１の撮像動作時には、絞り値やシャッタースピード等の撮影条件、いわゆる電子ファインダやライブビューと称される被写体のリアルタイムの動画像、及び直前の撮像結果等を表示する。また、カメラ１の再生動作時には、カメラ本体２内部又は外部の記録媒体に記録されている静止画像や動画像を再生して表示する。
【００３３】
また、図示しないが、カメラ本体２の外装面には、シャッタボタン等の操作者からの指示情報を入力するためのプッシュスイッチ、ダイヤルスイッチ及びタッチセンサ等からなる入力装置と、ランプ及びスピーカ等からなる出力装置とが配設されている。
【００３４】
また、カメラ本体２には、ストラップ取付金具や、電源電池及び記録媒体を収容する収容室、外部機器との間で有線又は無線により情報の送受信を行うための通信装置等が設けられている。
【００３５】
以下に、本実施形態のカメラ１における、ミラーボックス部１００及び撮像ユニット２００の構成の詳細を説明する。
【００３６】
まず、第１の組立体であるミラーボックス部１００の構成を説明する。図２に示すように、ミラーボックス部１００は、合成樹脂からなる略箱状の部材であり、前方にはボディマウント部９が固定されており、また後方にはシャッタユニット５が固定されている。
【００３７】
ミラーボックス部１００には、シャッタユニット５を避けて撮像レンズ３の光軸Ｏに沿うように後方に延出する、複数の腕部１１０が設けられている。そして、該複数の腕部１１０の後端部には、それぞれボディマウント部９のボディマウント面９ａと略平行な平面部１１１が形成されている。また、この複数の平面部１１１は、同一の平面である第１の平面部上に位置するように形成されている。
【００３８】
具体的には、カメラ１を前方から見た場合に、シャッタユニット５の開口部の周囲、すなわち撮像レンズ３の光軸Ｏの周囲を囲うように３つの腕部１１０が形成されている。そして、腕部１１０は、撮像レンズ３の光軸Ｏ、すなわちボディマウント部９のボディマウント面９ａに略直交する軸に沿って、カメラ１の後方に向かって延出するように形成されている。
【００３９】
３つの腕部１１０の後端部には、ボディマウント面９ａと平行かつそれぞれが同一の平面上に位置する平面部１１１が形成されている。そして、この３つの平面部１１１には、撮像レンズ３の光軸Ｏに沿うように下穴１１２が形成されている。
【００４０】
また、３つの腕部１１０のうちの２つの腕部１１０の平面部１１１には、撮像レンズ３の光軸Ｏに沿うように後方に延出する位置決めピン部１１３が立設されている。該２つの位置決めピン部１１３は、後述する撮像ユニット２００に形成された２つの位置決め孔２１３に係合し、ミラーボックス部１００と撮像ユニット２００との相対的な位置決めをするためのものである。
【００４１】
以上のように、本実施形態のミラーボックス部１００は、ボディマウント部９のボディマウント面９ａと平行な第１の平面部を有し、該第１の平面部は、３つの腕部１１０の後端部に形成された平面部１１１により構成されている。そして、該３つの腕部１１０の平面部１１１には、それぞれ下穴１１２が形成されている。
【００４２】
次に、第２の組立体である撮像ユニット２００の構成を説明する。図３に示すように、撮像ユニット２００は、金属又は合成樹脂等からなる基台部２１０の前方側に、撮像素子２０１が保持されて構成されている。また、基台部２１０の後方側には、撮像素子２０１の駆動を制御する駆動回路部等を有する回路基板２０２が配設されている。
【００４３】
なお、基台部２１０の前面側には、ローパスフィルタ等の光学素子、ゴミ付着防止装置、撮像素子２０１を移動させるブレ補正装置等が配設され得る。
【００４４】
基台部２１０は、カメラ１の前方から見て略矩形状の平板状の部材であり、カメラ１の前方から見た場合の略中央部に、受光面２０１ａを前方に向けた状態の撮像素子２０１が配設されている。
【００４５】
基台部２１０には、カメラ１の前方から見た状態において撮像素子２０１の周囲を囲むように複数の当接面部２２０が形成されている。この複数の当接面部２２０は、それぞれ撮像素子２０１の受光面２０１ａと略平行な平面部を有し、かつそれぞれの平面部が同一の平面である第２の平面部上に位置するように形成されている。
【００４６】
すなわち、基台部２１０に形成された複数の当接面部２２０の平面部からなる第２の平面部は、基台部２１０に保持された撮像素子２０１の受光面２０１ａと略平行となる。
【００４７】
より具体的には、基台部２１０は、その外周部から延出する３つの舌片部２１１を有し、該３つの舌片部２１１のそれぞれの前面部に、カメラ１の前方に突出するように当接面部２２０が形成されている。該３つの当接面部２２０は、それぞれ同一の平面上に位置する。
【００４８】
そして、基台部２１０に形成された３つの当接面部２２０の平面部には、それぞれ該平面部に直交する方向に穿設された遊嵌孔である貫通孔２１２が形成されている。
【００４９】
また、基台部２１０の３つの舌片部２１１のうちの２つには、貫通孔２１２と平行に穿設された位置決め孔２１３が形成されている。該２つの位置決め孔２１３は、ミラーボックス部１００に立設された２つの位置決めピン部１１３に対応した位置に形成されている。
【００５０】
なお、本実施形態の撮像ユニット２００では、当接面部２２０は舌片部２１１から前方に突出して設けられているが、舌片部２１１の前面と当接面部２２０の平面部とは、同一平面となるように構成されるものであってもよい。
【００５１】
上述した撮像ユニット２００は、ミラーボックス部１００の腕部１１０に、中間部材１５０を介して固定される。以下に、該中間部材１５０の構成を説明する。
【００５２】
中間部材１５０は、ステンレス合金、アルミニウム合金等の金属材料からなる平板状の部材であり、図２に示すように、カメラ１の前面から見た場合に、撮像レンズ３から出射された必要光束を遮ることがないように略Ｌ字状となる平面形状を有する。
【００５３】
中間部材１５０には、座ぐり部を後方側とした遊嵌孔である座ぐり孔１５２が、ミラーボックス部１００に形成された下穴１１２に対応する３箇所に形成されている。また、中間部材１５０には、位置決め孔１５３が、ミラーボックス部１００に形成された位置決めピン部１１３に対応する２箇所に形成されている。
【００５４】
また、中間部材１５０には、ねじ孔１５４が、撮像ユニット２００に形成された貫通孔２１２に対応する３箇所に形成されている。
【００５５】
以下に、本実施形態のカメラ１における、ミラーボックス部１００に対して撮像ユニット２００を固定する構成の詳細を説明する。
【００５６】
中間部材１５０は、中間部材１５０に穿設された座ぐり孔１５２に挿通され、ミラーボックス部１００の腕部１１０に形成された下穴１１２内に螺合する３つのセルフタッピングビス１６０により固定される。
【００５７】
セルフタッピングビス１６０は、一般にタッピンねじ、セルフタッピングねじとも称される、下穴の内壁に自らねじ山を形成しつつ下穴に螺合する雄ねじ部を有しているものである。
【００５８】
なお、セルフタッピングビス１６０の頭部は座ぐり孔１５２の座ぐり部内に収まる形状を有しており、中間部材１５０をミラーボックス部１００に固定した状態において、セルフタッピングビス１６０の頭部が中間部材１５０の表面よりも後方に突出することはない。
【００５９】
また、ミラーボックス部１００に対する中間部材１５０の位置決めは、ミラーボックス部１００に立設された位置決めピン部１１３が位置決め孔１５３に係合することによってなされる。
【００６０】
撮像ユニット２００は、ミラーボックス部１００に固定された状態の中間部材１５０の後方側（後方側の面）に、貫通孔２１２を挿通され、中間部材１５０のねじ孔１５４に螺合するねじ１２０により固定される。
【００６１】
ここで、ミラーボックス部１００に対する撮像ユニット２００の、ボディマウント面９ａと平行な平面上における位置決めは、ミラーボックス部１００に立設された位置決めピン部１１３が位置決め孔２１３に係合することによってなされる。
【００６２】
また、ボディマウント面９ａに対する撮像ユニット２００が保持する撮像素子２０１の受光面２０１ａの平行度及び距離は、中間部材１５０と撮像ユニット２００の当接面部２２０の平面部との間に、所定の厚さ及び所定の枚数のスペーサ１７０が適宜に挿入されることによって調節される。
【００６３】
次に、ミラーボックス部１００に撮像ユニット２００を固定する場合の手順を説明する。
【００６４】
まず、ミラーボックス部１００に、中間部材１５０をセルフタッピングビス１６０により固定する。
【００６５】
そして、ボディマウント面９ａに対する、中間部材１５０の後方側の面の撮像ユニット２００の当接面部２２０が接する３箇所の位置を測定する。一方で、撮像ユニット２００について、撮像素子２０１の受光面２０１ａに対する、３箇所の当接面部２２０の平面部の位置を測定する。
【００６６】
次に、上記測定結果に基づいて、ボディマウント面９ａと受光面２０１ａとの位置関係が平行かつ所定の距離となるように、３つのスペーサ１７０のそれぞれの厚さを算出する。この場合、必ずしも３つのスペーサは必要ではなく、算出された結果に応じて３箇所のうちの必要な箇所に必要数のスペーサを用いればよい。
【００６７】
そして、算出された厚さに応じた３つのスペーサ１７０を挟持した状態で、中間部材１５０に撮像ユニット２００をねじ１２０により固定する。
【００６８】
以上に説明したように、本実施形態においては、撮像ユニット２００は、中間部材１５０にねじ１２０により固定される。ここで、中間部材１５０は、金属材料により構成されていることから、撮像ユニット２００の当接面部２２０が当接する部位に、ねじ１２０の締結力による歪みが生じることがない。
【００６９】
すなわち、撮像ユニット２００を中間部材１５０に固定する作業に先立って測定を行った、ボディマウント面９ａに対する中間部材１５０の後方側の面の撮像ユニット２００の当接面部２２０が接する３箇所の位置は、固定作業後も変化することがない。
【００７０】
したがって、本実施形態によれば、予め測定し算出した厚さのスペーサ１７０を用いて撮像ユニット２００を中間部材１５０に固定することで、１回の作業で確実にボディマウント部に対する撮像素子２０１の受光面２０１ａの位置を所定の範囲内とすることができ、作業を繰り返す必要がなくなる。
【００７１】
なお、上述した実施形態においては、中間部材１５０は１つの部材からなり、ミラーボックス部１００の３箇所の腕部１１０の間に架設されるような構成として説明しているが、本発明はこれに限られるものではない。
【００７２】
例えば、中間部材は金属材料により構成された複数の部材であってもよく、図４に示す変形例のように、３つの腕部１１０のそれぞれの平面部１１１上に、３つの金属材料からなる中間部材１５０ａ、１５０ｂ及び１５０ｃが固定される形態であってもよい。
【００７３】
図４に示す変形例においても、撮像ユニット２００は、金属材料からなる中間部材１５０ａ、１５０ｂ及び１５０ｃにねじ１２０により固定されることから、上述した実施形態と同様の効果が得られる。
【００７４】
上述した実施形態に基づいて、以下の構成を提案することができる。すなわち、本願発明は以下の構成で表現できる。  
（付記１）  
交換レンズを着脱可能なボディマウント面を有し、該ボディマウント面と平行な第１の面を有した合成樹脂材料からなる第１の組立体と、  
上記ボディマウントの光軸上に配置され上記交換レンズからの被写体光束を受ける撮像素子が載置され、該撮像素子の受光面と上記ボディマウント面とを平行に取り付けるための第２の平行面を有した第２の組立体と、  
上記第１の組立体と上記第２の組立体とを上記第１の面と上記第２の面とで結合するため、上記第１の面と上記第２の面との間に配置された金属材料からなる中間部材と、  
を有することを特徴としたレンズ交換式カメラ。
【００７５】
（付記２）  
上記中間部材は上記第１の組立体に固着され、上記第２の組立体は上記中間部材に固着されていることを特徴とした付記１に記載のレンズ交換式カメラ。
【００７６】
（付記３）  
上記第１の面と上記第２の面は同一の数の複数面であり、該複数面のそれぞれには、上記ボディマウント面と上記受光面とを平行とし、かつ上記ボディマウント面から上記受光面までの距離を一定とするための距離調整用座金が設けられていることを特徴とした付記１又は２に記載のレンズ交換式カメラ。
【００７７】
なお、本発明は、上述した実施形態に限られるものではなく、特許請求の範囲及び明細書全体から読み取れる発明の要旨或いは思想に反しない範囲で適宜変更可能であり、そのような変更を伴うレンズ交換式カメラもまた本発明の技術的範囲に含まれるものである。
【００７８】
例えば、レンズ交換式カメラは、上述の実施形態で説明した形態に限らず、デジタルビデオカメラ等であってもよいことは言うまでもない。
【図面の簡単な説明】
【００７９】
【図１】カメラの主要な構成を断面により示す図である。
【図２】ミラーボックス部に撮像ユニットを固定する構成を説明するための分解図である。
【図３】撮像ユニットの構成を説明するための斜視図である。
【図４】変形例の構成を説明する図である。
【符号の説明】
【００８０】
１    カメラ、
２    カメラ本体、
３    撮像レンズ、
５    シャッタユニット、
６    ファインダユニット、
７    測距ユニット、
８    画像表示部、
９    ボディマウント部、
９ａ    ボディマウント面、
１００    ミラーボックス部、
１１０    腕部、
１１１    平面部、
１１２    下穴、
１１３    位置決めピン部、
１２０    ねじ、
１５０    中間部材、
１５２    座ぐり孔、
１５３    位置決め孔、
１５４    ねじ孔、
１６０    セルフタッピングビス、
１７０    スペーサ、
２００    撮像ユニット、
２０１    撮像素子、
２０１ａ    受光面、
２１０    基台部、
２１１    舌片部、
２１２    貫通孔、
２１３    位置決め孔、
【図１】
2010008690.tif 000003
【図２】
2010008690.tif 000004
【図３】
2010008690.tif 000005
【図４】
2010008690.tif 000006